(57)【要約】      （修正有）【課題】携帯電話、デジタルカメラなどのコード通孔付き品に設けられた、取り付けコード通し取付け孔に差し込み通し結束取り付ける取り付けコード付き付属品であって、取り付けコードによって付属品の大きさや長さが規制されることがない取り付けコード付き付属品を提供する。【解決手段】付属品１００と、取り付けコード１０１と、ストッパー８０とからなり、取り付けコード１０１を適宜な部位で折合わせ一対にして取り付けコード通し取り付け孔７に通し、通り抜けた部分を広げてストッパー潜らせループ８２を形成し、ストッパー潜らせループ８２にストッパー８０を潜らせ、取り付けコード１０１を引いてストッパー潜らせループ８２を縮め締めて、縮め締めた該ストッパー潜らせループ８２からストッパー８０が抜けないようにして、よって、コード通孔付き品Ｋに該取り付けコード１０１を直接的に取り付けるようにしてなるものである。【選択図】図１０
2010207368.tif 000002
【特許請求の範囲】
【請求項１】
携帯電話、携帯カメラ、音楽プレイヤー、携帯無線機、携帯警報機、肩掛けバック、手提げカバン、置物、展示品などのコード通孔付き品に設けられたコード通し孔、このコード通し孔に通して該コード通孔付き品にハンドストラップ、ネックストラップ、飾り、財布、アクセント品、キャラクター品、値札、ネームプレートなどの付属品を取付けるための該付属品に取付けられた非巻取り形態である固定された長さの取付けコードを備えてなる取付けコード付き付属品であって、
付属品と、
この付属品に一方の側を直接的にあるいはリング、連結パーツ、脱着パーツなどの他の部材を介して取り付けられた、前記取り付けコード通し取付け孔が折れ曲がっていてその内壁に当り擦れても、崩れることなく通される適宜なしなやかさと硬さを有する非巻取り形態である固定された長の１本の取り付けコードと、
この取り付けコードの他方の側に設けられた前記取り付けコード通し取り付け孔を通らない大きさのストッパーとからなり、
前記取り付けコードを適宜な部位で折合わせ一対にして前記取り付けコード通し取り付け孔に通し、通り抜けた部分を広げてストッパー潜らせループを形成し、このストッパー潜らせループに前記ストッパーを潜らせ、該取り付けコードを引いて該ストッパー潜らせループを縮め締めて、縮め締めた該ストッパー潜らせループから該ストッパーが抜けないようにして、よって、コード通孔付き品に該取り付けコードを取り付けることが可能としてなることを特徴とする取り付けコード付き付属品。
【請求項２】
携帯電話、携帯カメラ、音楽プレイヤー、携帯無線機、携帯警報機、肩掛けバック、手提げカバン、置物、展示品などのコード通孔付き品に設けられたコード通し孔、このコード通し孔に通して該コード通孔付き品にハンドストラップ、ネックストラップ、飾り、財布、アクセント品、キャラクター品、値札、ネームプレートなどの付属品を取付けるための該付属品に取付けられた非巻取り形態である固定された長さの取付けコードを備えてなる取付けコード付き付属品であって、
付属品と、
この付属品に一方の側を直接的にあるいはリング、連結パーツ、脱着パーツなどの他の部材を介して取り付けられた、前記取り付けコード通し取付け孔が折れ曲がっていてその内壁に当り擦れても、崩れることなく通される適宜なしなやかさと硬さを有する非巻取り形態である固定された長の１本の取り付けコードと、
この取り付けコードの他方の側に設けられた前記取り付けコード通し取り付け孔を通らない大きさのストッパーと、
このストッパーあるいは前記取り付けコードに移動自在に設けられた係止ループ着脱係止部とからなり、
前記取り付けコードを適宜な部位で折合わせ一対にして前記取り付けコード通し取り付け孔に通し通り抜けた部分を広げて係止ループを形成し、この係止ループを前記係止ループ着脱係止部に着脱自在形態に係止させ、該取り付けコードを引いて該ループを縮め締めて、締めた該ループが該係止ループ着脱係止部から外れないことによって、コード通孔付き品に該取り付けコードの先端側を取り付けるようにしたことを特徴とする取り付けコード付き付属品。
【発明の詳細な説明】
【技術分野】
【０００１】
本発明は、携帯カメラ、音楽プレイヤー、携帯無線機、携帯警報機、肩掛けバック、手提げカバン、置物、展示品などのコード通孔付き品に取付けて使用する、あるいはコード通孔付き品を取付けて使用する取付けコード付き付属品に関する。
【背景技術】
【０００２】
携帯電話、デジタルカメラ、音楽プレイヤーなどのコード通孔付き品には開口２ｍｍ〜４ｍｍ程度の取り付けコード通し取付け孔が設けられている。
この取り付けコード通し取付け孔には、付属品に取り付けられた松葉、ヘビロなどと呼ばれるループコードを通して、通された側を付属品潜らせループとして、この付属品のループに該付属品を潜らせてループコードが付属品潜らせループを潜った状態とすることによって、コード通孔付き品に付属品を取り付けるものである。（例えば特許文献１）
【０００３】
上述した従来技術は以下に述べるような欠点を有するものであった。
紐（７）（松葉、ヘビロ）は取り付けコード通し取付け孔に通された状態で、チューブ（１）（付属品）を潜り通すことができるループを形成する長さとしたければならないものである。
すなわち、付属品の大きさや長さは、紐（７）のループ径に規制されてしまうという欠点を有するものである。
また、取り外す際には締められコード通孔付き品に食いつき張り付いた状態の細紐である松葉を指で摘んでループを広げなければならず、なかなか指で摘み難いという欠点を有するものであった。
【先行技術文献】
【特許文献】
【０００４】
【特許文献１】特開2006-247083号公報
【非特許文献】
【０００５】
【非特許文献１】特になし
【発明の概要】
【発明が解決しようとする課題】
【０００６】
本発明は以上のような従来技術の欠点に鑑み、携帯電話、デジタルカメラなどのコード通孔付き品に設けられた、取り付けコード通し取付け孔に差し込み通し結束取り付ける取り付けコード付き付属品であって、取り付けコードによって付属品の大きさや長さが規制されることがない取り付けコード付き付属品を提供するにある。
【０００７】
本発明の前記ならびにそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
【課題を解決するための手段】
【０００８】
上記目的を達成するために、本発明は次のような構成となっている。
＜請求項１記載の発明＞
携帯電話、携帯カメラ、音楽プレイヤー、携帯無線機、携帯警報機、肩掛けバック、手提げカバン、置物、展示品などのコード通孔付き品に設けられたコード通し孔、このコード通し孔に通して該コード通孔付き品にハンドストラップ、ネックストラップ、飾り、財布、アクセント品、キャラクター品、値札、ネームプレートなどの付属品を取付けるための該付属品に取付けられた非巻取り形態である固定された長さの取付けコードを備えてなる取付けコード付き付属品であって、
付属品と、
この付属品に一方の側を直接的にあるいはリング、連結パーツ、脱着パーツなどの他の部材を介して取り付けられた、前記取り付けコード通し取付け孔が折れ曲がっていてその内壁に当り擦れても、崩れることなく通される適宜なしなやかさと硬さを有する非巻取り形態である固定された長の１本の取り付けコードと、
この取り付けコードの他方の側に設けられた前記取り付けコード通し取り付け孔を通らない大きさのストッパーとからなり、
前記取り付けコードを適宜な部位で折合わせ一対にして前記取り付けコード通し取り付け孔に通し、通り抜けた部分を広げてストッパー潜らせループを形成し、このストッパー潜らせループに前記ストッパーを潜らせ、該取り付けコードを引いて該ストッパー潜らせループを縮め締めて、縮め締めた該ストッパー潜らせループから該ストッパーが抜けないようにして、よって、コード通孔付き品に該取り付けコードを取り付けることが可能としてなることを特徴とする取り付けコード付き付属品である。
「非巻取り形態である固定された長の１本の取り付けコード」とは、取り付けコードを巻き取る巻取り装置（リール）による長さを延ばす形態（ゴム紐の伸縮は含まない）のものは含まない、除くという意味である。
但し、ゴム紐は縮状態が固定された長さであるので「固定された長さである１本の取り付けコード」に含むものである。
本出願人は先に特願２００８−２１９１１６（提出日平成２０年８月２９日）を出願済みであり、平成２１年１月１４日に特許査定の通知を受けている。
特願２００８−２１９１１６の発明は、付勢巻取り装置の巻取りコードが適宜なしなやかさと硬さを有する１本の取付けコードであるとともに、その取付けコードの先の方にコード通孔付き品のコード通し取付け孔を通らない大きさのストッパーを設けてなる発明である。
この構成によると、巻取りコードが全部巻き取られる構成にあっては、全部書き取り状態では付勢巻取り装置とコード通孔付き品は極めて近接状態ないし接触状態という、離れていない状態にされるとともに、コードの引き出し距離の可能な限り付勢巻取り装置とコード通孔付き品との距離を引き離すことができるものである。
これに対して、本発明の構成にあっては、取付けコードにより付属品とコード通孔付き品の距離は固定されているものである。
本願発明と特願２００８−２１９１１６の発明とでは以上の点が相違しているものである。
＜請求項２記載の発明＞
携帯電話、携帯カメラ、音楽プレイヤー、携帯無線機、携帯警報機、肩掛けバック、手提げカバン、置物、展示品などのコード通孔付き品に設けられたコード通し孔、このコード通し孔に通して該コード通孔付き品にハンドストラップ、ネックストラップ、飾り、財布、アクセント品、キャラクター品、値札、ネームプレートなどの付属品を取付けるための該付属品に取付けられた非巻取り形態である固定された長さの取付けコードを備えてなる取付けコード付き付属品であって、
付属品と、
この付属品に一方の側を直接的にあるいはリング、連結パーツ、脱着パーツなどの他の部材を介して取り付けられた、前記取り付けコード通し取付け孔が折れ曲がっていてその内壁に当り擦れても、崩れることなく通される適宜なしなやかさと硬さを有する非巻取り形態である固定された長の１本の取り付けコードと、
この取り付けコードの他方の側に設けられた前記取り付けコード通し取り付け孔を通らない大きさのストッパーと、
このストッパーあるいは前記取り付けコードに移動自在に設けられた係止ループ着脱係止部とからなり、
前記取り付けコードを適宜な部位で折合わせ一対にして前記取り付けコード通し取り付け孔に通し通り抜けた部分を広げて係止ループを形成し、この係止ループを前記係止ループ着脱係止部に着脱自在形態に係止させ、該取り付けコードを引いて該ループを縮め締めて、締めた該ループが該係止ループ着脱係止部から外れないことによって、コード通孔付き品に該取り付けコードの先端側を取り付けるようにしたことを特徴とする取り付けコード付き付属品である。
【発明の効果】
【０００９】
以上の説明から明らかなように、本発明にあっては次に列挙する効果が得られる。
＜請求項１記載の発明の効果＞
携帯電話、携帯カメラ、音楽プレイヤー、携帯無線機、携帯警報機、肩掛けバック、手提げカバン、置物、展示品などのコード通孔付き品に設けられたコード通し孔、このコード通し孔に通して該コード通孔付き品にハンドストラップ、ネックストラップ、飾り、財布、アクセント品、キャラクター品、値札、ネームプレートなどの付属品を取付けるための該付属品に取付けられた非巻取り形態である固定された長さの取付けコードを備えてなる取付けコード付き付属品であって、付属品と、この付属品に一方の側を直接的にあるいはリング、連結パーツ、脱着パーツなどの他の部材を介して取り付けられた、前記取り付けコード通し取付け孔が折れ曲がっていてその内壁に当り擦れても、崩れることなく通される適宜なしなやかさと硬さを有する非巻取り形態である固定された長の１本の取り付けコードと、この取り付けコードの他方の側に設けられた前記取り付けコード通し取り付け孔を通らない大きさのストッパーとからなり、前記取り付けコードを適宜な部位で折合わせ一対にして前記取り付けコード通し取り付け孔に通し、通り抜けた部分を広げてストッパー潜らせループを形成し、このストッパー潜らせループに前記ストッパーを潜らせ、該取り付けコードを引いて該ストッパー潜らせループを縮め締めて、縮め締めた該ストッパー潜らせループから該ストッパーが抜けないようにして、よって、コード通孔付き品に該取り付けコードを取り付けることが可能としてなることを特徴とする取り付けコード付き付属品であるので、
一本の取り付けコードを適宜な部位で折合わせ一対にして取り付けコード通し取り付け孔に通し、通り抜けた部分を広げてストッパー潜らせループを形成し、このストッパー潜らせループに前記ストッパーを潜らせ、該取り付けコードを引いて該ストッパー潜らせループを縮め締めて、縮め締めた該ストッパー潜らせループから該ストッパーが抜けないようにして、よって、コード通孔付き品に該取り付けコードを取り付けることが可能としてなるものであるので、コード通孔付き品への取り付け操作は取り付けコードのみで行う形態を実現しているので、付属品にはなんら影響を与えない、すなわち、付属品を大きさや形態を好みのものにできるという効果を奏する。
また、容易に摘めるストッパーを、摘み振りながら引っ張ることによりループを引き出し広げることが簡単にできるという効果を奏する。よって摘みやすいストッパーの摘み振り引き操作によってループを引き出し広げて、該ループにストッパーを抜き潜らせるだけの簡単な操作で、コード通孔付き品から取り外すことができる取り付けコード付き付属品を実現するものである。
＜請求項２記載の発明の効果＞
携帯電話、携帯カメラ、音楽プレイヤー、携帯無線機、携帯警報機、肩掛けバック、手提げカバン、置物、展示品などのコード通孔付き品に設けられたコード通し孔、このコード通し孔に通して該コード通孔付き品にハンドストラップ、ネックストラップ、飾り、財布、アクセント品、キャラクター品、値札、ネームプレートなどの付属品を取付けるための該付属品に取付けられた非巻取り形態である固定された長さの取付けコードを備えてなる取付けコード付き付属品であって、
付属品と、
この付属品に一方の側を直接的にあるいはリング、連結パーツ、脱着パーツなどの他の部材を介して取り付けられた、前記取り付けコード通し取付け孔が折れ曲がっていてその内壁に当り擦れても、崩れることなく通される適宜なしなやかさと硬さを有する非巻取り形態である固定された長の１本の取り付けコードと、
この取り付けコードの他方の側に設けられた前記取り付けコード通し取り付け孔を通らない大きさのストッパーと、
このストッパーあるいは前記取り付けコードに移動自在に設けられた係止ループ着脱係止部とからなり、
前記取り付けコードを適宜な部位で折合わせ一対にして前記取り付けコード通し取り付け孔に通し通り抜けた部分を広げて係止ループを形成し、この係止ループを前記係止ループ着脱係止部に着脱自在形態に係止させ、該取り付けコードを引いて該ループを縮め締めて、締めた該ループが該係止ループ着脱係止部から外れないことによって、コード通孔付き品に該取り付けコードの先端側を取り付けるようにしたことを特徴とする取り付けコード付き付属品であるので、
このような構成としても請求項１記載の発明と同様な効果を奏する。
【図面の簡単な説明】
【００１０】
【図１】本出願人が発明したところの第１の実施の形態の正面図およびコード通孔付き品への取付け手順図。
【図２】本出願人が発明したところの第１の実施の形態のロック状態でのコード通孔付き品の停止位置例図。
【図３】本出願人が発明したところの第１の実施の形態のロック状態の断面図およびロック解除状態の断面図。
【図４】本出願人が発明したところの第２の実施の形態のケースにコード通孔付き品を収納した状態の正面図およびコード通孔付き品をケースから出し下降させた状態の側面図。
【図５】本出願人が発明したところの第３の実施の形態の正面図およびコード通孔付き品を取り付け下降させた状態例の正面図。
【図６】本出願人が発明したところの第４の実施の形態の正面図およびコード通孔付き品を取り付け下降させた状態例の正面図。
【図７】本出願人が発明したところの第４の実施の形態のロック機構部の断面図。
【図８】本出願人が発明したところの第５の実施の形態の小さいループ状態の正面図、大きいループ状態の正面図、コード通孔付き品を取り付けた状態で該コード通孔付き品を筐体に接近させた状態の正面図。
【図９】本出願人が発明したところの第６の実施の形態の取り付けコード通部の他の形態を示す斜視図。
【図１０】本発明の最良の実施の形態である第７の実施の形態の正面図、ループにストッパーを潜らせた状態図、取り付け完了図。
【図１１】本発明の最良の実施の形態である第７の実施の形態の取り付け手順図。
【図１２】本発明の最良の実施の形態である第７の実施の形態の複数の異なる例を示す図。
【図１３】本発明の最良の第８の実施の形態の正面図、ループを係止部に係止せた状態図、取り付け完了図。
【図１４】本発明の最良の第９の実施の形態の正面図、ループを係止部に係止せた状態図、取り付け完了図。
【発明を実施するための最良の形態】
【００１１】
以下、図面に示す本出願人が発明したところの形態を詳細に説明する。但し、それらのみに本発明を限定する趣旨のものではない。
【００１２】
＜第１の実施の形態＞
図１ないし図５に示す本出願人が発明したところの第１の実施の形態において、１は取り付けコード付勢巻取り装置であって、この取り付けコード付勢巻取り装置１は、
筐体２、この筐体２内に回転自在に設けられ且つ駆動バネ３により巻取り方向に付勢巻取り回転をする巻取り体４、この巻取り体４にループの形成が可能なループ形成可能部位５とする一対形態で付勢巻き取られるとともに、該筐体２の外で拡径する該ループ形成可能部位５を形成するように設けられてなる取り付けコード６とからなる取り付けコード付勢巻取り装置において、
前記取り付けコード６の全体あるいは少なくとも先端側の適宜な長さが（本実施例では全体）、携帯電話、デジタルカメラなどのコード通孔付き品Ｋに設けられた取り付けコード通し取付け孔７に先端を折り合わせるようにしてループ状態で通すことができる太さであるとともに、前記取り付けコード通し取付け孔７が折れ曲がっていてその内壁に当り擦れても、崩れることなく通される適宜なしなやかさと硬さを有するものであり、かつ、該取り付けコード６先端が筐体２に当り引き込み動作が止められた最終巻取り状態となっても前記巻取り体４を巻取り回転させようとする巻取り回転付勢力を有してなる（巻取り回転付勢力が残っている状態）ことを特徴とするものである。
取り付けコード６には移動自在に、取り付けコード６先端が一つ引き出し口（図示せず）から筐体内に引き込まれるのを阻止するストパー玉８が取り付けられている。引き出し口が二つの場合は、取り付けコードが引き出し口間にある隔てる壁によってそれ以上の引き込まれるのを阻止するので、ストパー玉８を設けなくてもよい。
取り付けコードの太さが直径０．９ｍｍ以下とするのがよい。一般的な松葉紐の太さは０．７ｍｍ〜０．８ｍｍ程度である。
【００１３】
図３に示すように筐体２の内部構造およびロック機構は次のような構成となっている。
裏側が全面開口された筐体形成部材１０と、
この筐体形成部材１０の表板の中心に設けられた貫通筒部１１と、
この貫通筒部１１に内端を固定して設けられた発条である駆動バネ３と、
この駆動バネ３を内側にしてその外端を固定させて該駆動バネ３の巻取り不勢力により付勢巻取り回転する巻取り体４と、
この巻取り体４に重ね状態で巻取られた取り付けコード６と、
筐体形成部材１０の側面に設けられた取り付けコード６が引き出されている引き出し口（図示せず）と、
貫通筒部１１に筐体２を摘んだ指で押し込み可動可能に入れられた中空形態のロックＯＮ・ＯＦＦボタン１４、このロックＯＮ・ＯＦＦボタン１４の背部に貫通筒部１１と一体的に設けられた広鍔形態の巻取り体４に当接してその付勢回転を止めるロック板１５とからなるロック体１６と、
ロックＯＮ・ＯＦＦボタン１４の内部に設けられた押し出し付勢手段である圧縮コイルバネ１７と、
筐体形成部材１０の裏側開口をネジによる締め付け固定、接着、融着あるいは溶着などにより塞ぐ裏板１８と、とからなっている。
筐体２を指で摘み、その指でロックＯＮ・ＯＦＦボタン１４を押し込むと圧縮コイルバネ１７の付勢力に抗して巻取り体４に付勢当接していたロック板１５が移動して巻取り体４から離れロック状態が解除される。ロックＯＮ・ＯＦＦボタン１４を押し込んだ状態のまま移動操作（ループロール６の引き出し引き込み操作）を自在に行うことができる。ロックＯＮ・ＯＦＦボタン１４を解放すると圧縮コイルバネ１７の押し出し付勢力によりロック板１５が巻取り体４に付勢当接して駆動バネ３による付勢巻取り回転を止めロックする。
すなわち、取り付けコード６を出入両方向に対してロックするための、巻取り体４をロックするロック機構を設け、このロック機構を構成する部位である指で押し込みロック解除を行うためのロックＯＮ・ＯＦＦボタン１４が筐体２の表側あるいは裏側に設けられ、主に親指を裏側に当て人差し指ないし中指を表側に当てた摘み状態で、そのいずれかの指で前記ロックＯＮ・ＯＦＦボタン１４を押し込み移動させることにより前記ロック状態を解除し、該ロックＯＮ・ＯＦＦボタン１４を解放すると該ロック状態となる。
よって、取り付けコード６の先端を折り合わせた状態にして取り付けコード通し取付け孔７に通し（図１の＜ｂ＞図）、筐体２が潜り通るループ状態に開いて（図１の＜ｃ＞図）、該筐体２を潜らせ通して（図１の＜ｄ＞図）引き締め結束（結束部９）状態（図２の＜ｅ＞図）にしてコード通孔付き品Ｋに取り付けコード６の最終巻取り状態では、取り付けたコード通孔付き品と取り付けコード付勢巻取り装置の筐体との距離を略接した状態あるいは近傍した状態（図２の＜ｇ＞図）にでき、かつ、コード通孔付き品を筐体から遠ざける（移動させる）ことのできる（図２の＜ｆ＞図）。
【００１４】
次に、異なる実施の形態について説明する。なお、これら異なる実施の形態の説明に当たって、前述してある実施の形態と同一構成部分には同一符号を付して重複する説明を省略する。
【００１５】
＜第２の実施の形態＞
図４に示す本出願人が発明したところの第２の実施の形態において、取り付けコード付勢巻取り装置１のロック機構部を有さない形態とした取り付けコード付勢巻取り装置１９を使用して、携帯電話あるいは携帯カメラなどのコード通孔付き品を首から提げて携行するための、コード通孔付き品の携行補助具２０を形成した点にある。
コード通孔付き品の携行補助具２０は、ケース本体２１、このケース本体２１の底開口部２２、この底開口部２２を開閉するケース本体２１の背面壁から垂れ下がるように設けられた片形態の底塞ぎ蓋２３、この底塞ぎ蓋２３の内面に設けられたフック面ファスナ部材２４、ケース本体２１の前面に設けられたフック面ファスナ２４と係着して底塞ぎ蓋２３の閉じ状態を保持するためのループ面ファスナ部材２５、ケース本体２１の天井部に形成された取り付けコードロック部材２９が抜けない大きさの上孔部３２、ケース本体２１の背面に設けられた該ケース本体２１との間に胴に巻くための紐、取り付けコードあるいはベルトなどの胴巻き部材を通し取り付けるための胴巻き部材通し部３０を形成するように縫い付けあるいは接着などにより取り付けられたループ面ファスナ部材３１とからなるケース２７と、
このケース２７の上部あるいは側面上方に端部を取り付けて、ケース２７を首から吊り下げるための首掛けループ２８と、
取り付けコード付勢巻取り装置１９と、
取り付けコード付勢巻取り装置１９から引き出された取り付けコード６の筐体２内への引き込みをロックする取り付けコードロック部材２９とからなっている。
【００１６】
コード通孔付き品Ｋの取り付けコード６の取付けは以下のように行う。
取り付けコードロック部材２９のロック状態を解除して該取り付けコードロック部材２９を長く引き出しロック状態として巻き戻しできないようにする。
上孔部３２の上側から取り付けコード６を挿入してケース２７の底開口部２２から外に引き出す。
取り付けコード６の先端を折り合わせてコード通孔付き品Ｋの取り付けコード通し取付け孔７に通し、底開口部２２から上孔部３２を通して取り付けコード６を外に出す。
上孔部３２から出された取り付けコード６の部位をケース２より大きいループに広げて、該ケース２および取り付けコードロック部材２９をそのループに潜らせ通す。
ケース２および取り付けコードロック部材２９を引いて、あるいはコード通孔付き品Ｋを引いて取り付けコード６のループを萎めて（絞って）取り付けコード通し取付け孔７部位で結束状態として、取り付けコード６の先端にコード通孔付き品Ｋを取り付けた状態とする。
【００１７】
取り付けコードロック部材２９は、一般的に使用されている取り付けコードを通し、付勢力の与えられた押し込みボタン３０を該付勢力に抗して押し込むとロックが解除されて、取り付けコードをあるいは取り付けコードロック部材を移動自在とでき、押し込みボタン３０を解放すると押し込みボタン３０が付勢力により押し出し動作をして通されている取り付けコードを挟みロックして、移動ができないロック状態とするものである。
取り付けコード付勢巻取り装置１９の付勢巻取り力は、コード通孔付き品Ｋの重量を吊り保持できない弱い巻取り付勢力であり、ロックする取り付けコードロック部材２９のロックを解除し底開口部２２を開いた状態、すなわち、コード通孔付き品Ｋの自重が取り付けコード６に全てかかる状態においては、コード通孔付き品Ｋはその自重により自然・自動的に速やかに下降するものである。
したがって、下降した状態で取り付けコードロック部材２９を解放して取り付けコード６をロック状態とすることにより、下降した状態にコード通孔付き品Ｋを保持して、取り付けコード６に邪魔されることなくコード通孔付き品を手に持って快適に操作することができる。
【００１８】
コード通孔付き品Ｋのケース２７への収納は、取り付けコードロック部材２９を一方の指で摘み押し込みボタン３０を押し込んでロックを解除した状態としコード通孔付き品Ｋの底に他方の手を沿えるようにして持ち上げ収納し、取り付けコードロック部材２９をロック状態にして底塞ぎ蓋２３を閉じ、取り付けコードロック部材２９のロックを解除してコード通孔付き品Ｋを底塞ぎ蓋２３に載り支持されるまで下降させる。
下降したコード通孔付き品Ｋの収納は、自動付勢巻取りされる取り付けコード６によってケース２７内にスムーズに案内されるので、収納操作が簡単で快適である。
ケース２７への収納中のコード通孔付き品Ｋは底塞ぎ蓋２３に載り支持されるので、取り付けコード６には大きな荷重がかからないので、取り付けコード６の磨耗が生じず長寿命化を実現する。
ケース２７背面の胴巻き部材通し部３０に紐などの胴巻き部材を通し、胴に巻き付けることにより、ケース２７が振れない状態に保持し、よって、ケース２７に収納されているコード通孔付き品Ｋも歩行動作や前かがみになっても振れない状態として携行性を良いものにできる。
また、ワイシャツなどの前立て部を有する着衣では、前立て部にフック面ファスナ部材を有するクリプを装着し、あるいは安全ピンを備えた面ファスナ部材を装着して、ループ面ファスナ部材３１を着衣側に保持させて、ケース２７が振れない状態に保持し、よって、ケース２７に収納されているコード通孔付き品Ｋも歩行動作や前かがみになっても振れない状態として携行性を良いものにできる。
【００１９】
＜第３の実施の形態＞
図５に示す本出願人が発明したところの第３の実施の形態において前記第１の実施の形態と主に異なる点は、ケース２の背部あるいは上部から立ち上がるように首掛けループ２８を潜らし通して下端を結束（結束部４２）して該ケース２を吊り状態とする首掛けループ取付部３５を設け、ケース２の下部に取り付けコード６の一方の側と他方の側を分けて引き出すための引き出し口３６、３７を設け、該引き出し口３６、３７の間にく字形態に曲がったような形態の取り付けコード受け部３８を突出設けてなる取り付けコード付勢巻取り装置３９を形成した点にある。
取り付けコード受け部３８と筐体２との間には凹み部４０が形成され、該凹み部４０を通る取り付けコード６の一方の取り付けコードと凹み部４０との間には隙間が形成されて、指ないし爪で取り付けコードを摘むことができるようになっている。
【００２０】
＜第４の実施の形態＞
図６、図７に示す本出願人が発明したところの第４の実施の形態において前記第３の実施の形態と主に異なる点は、筐体２の巻取り体４から外れた部位に、取り付けコード６を付勢挟持してロックするロック機構部４５を設けるためのロック機構を設ける部位４６を形成し、このロック機構を設ける部位４６の表面あるいは裏面に開口部４７を設け、この開口部４７から頭部が突出され、該開口部４７内に頭部が位置されあるいは該開口部４７より内側に頭部が位置されてなる、摘んだ指によって押し込み移動動作をするロックＯＮ・ＯＦＦボタン４８を設け、前記ロックＯＮ・ＯＦＦボタン４８を押し出し付勢する圧縮コイルバネや弾性ゴム製部材などの押し出し付勢手段４９を設け、前記ロックＯＮ・ＯＦＦボタン４８に前記取り付けコード６を通す取り付けコード通部５０を設け、前記ロックＯＮ・ＯＦＦボタン４８の解放状態では前記押し出し付勢手段４９の押し出し付勢力によって該ロックＯＮ・ＯＦＦボタン４８は押し出し付勢状態にあって前記取り付けコード６を挟みロック状態とし、親指を前記ロック機構を設ける部位４６の裏面に当て人差し指ないし中指を該ロック機構を設ける部位４６の表面に当て摘み状態で、そのいずれかの指で前記ロックＯＮ・ＯＦＦボタン４８を前記押し出し付勢手段４９の押し出し付勢力に抗して押し込み移動させることにより前記取り付けコード６の前記ロック状態が解除され、該ロックＯＮ・ＯＦＦボタン４８を解放すると該ロック状態となる取り付けコード付勢巻取り装置５１を形成した点にある。
【００２１】
ロック機構部４５は、可動可能に設けられた１通の通し孔形態である可動側取り付けコード通し部５３を有する有天井開口底部の円筒形態のロックＯＮ・ＯＦＦボタン４８と、ロックＯＮ・ＯＦＦボタン案内部５２の上部に下部が当てられ且つロックＯＮ・ＯＦＦボタン４８の内天井部位に上部が当てられて該ロックＯＮ・ＯＦＦボタン４８を付勢押し出し状態とする押し出し付勢手段４９とからなり、指で摘みロックＯＮ・ＯＦＦボタン４８を押し出し付勢手段４９の押し出し付勢力に抗して押し込み可動させると取り付けコード通部５０と可動側取り付けコード通し部５３が重なり状態となって一本の貫通した取り付けコード通し孔を形成するようになっている。
ロックＯＮ・ＯＦＦボタン４８の側面には嵌合突起（図示せず省略）が形成され、ロック機構を設ける部位４６の内壁面に形成された嵌合溝（図示せず省略）に嵌合して、ロックＯＮ・ＯＦＦボタン４８は可動するがロック機構を設ける部位４６からは所定の位置で止められ抜けないようなっている。
ロック機構を設ける部位４６の下部には取り付けコード通部５０を通った取り付けコード６を外に抜くための取り付けコード抜き部５４と、抜いた取り付けコード６がそれ以上引き込まれないように止める取り付けコード止め部５５が形成されている。
これにより、取り付けコード６のループ状態のまま筐体外に引き出し、かつ、巻き戻るのを止めることができる構成を実現している。
取り付けコード抜き部５４は取り付けコード６を抜き取ったあとは、チップなどを嵌め込み接着するなどして塞いでしまい、取り付けコード６が入ることができないようにする。
【００２２】
取り付けコード６を挟みロック状態とする構成であるので、どの好みの位置でもコード通孔付き品を正確止めることができ、かつ、最終巻取り状態においても取り付けコードを最大限巻取り状態とすることができる。
また、ロック状態においてコード通孔付き品の急なあるいは予期せぬ不要な引っ張りが生じても、取り付けコードはロック状態のまま引っ張り引き出され移動するので、ロック機構が破損する、あるいは人が引っ張られて転倒などをしてしまう危険が緩衝されるという安全性を実現する。
【００２３】
＜第５の実施の形態＞
図８に示す本出願人が発明したところの第５の実施の形態において、５５は取り付けコード付勢巻取り装置であって、この取り付けコード付勢巻取り装置５５は、筐体２と、この筐体２内に回転自在に設けられ且つ駆動バネ３（図３参照）により巻取り方向に付勢巻取り回転をする巻取り体４（図３参照）と、この巻取り体４に付勢巻き取られる１本の取り付けコード５６と、この取り付けコード５６の前記筐体２の外に引き出された部位に設けられた、取り付けコード通部本体５７、この取り付けコード通部本体５７に設けられた取り付けコード５６を移動自在に通す取り付けコード通し孔５８とからなる取り付けコード通部５９と、この取り付けコード通部５９の前記取り付けコード通し孔５８に前記取り付けコード５６を通し、その取り付けコードの先端側を該取り付けコード通部５９から取れないように取り付けることによって形成してなる、該取り付けコード通し孔５８を取り付けコード５６を移動させることにより大きくしたり小さくしたりできるループ６０とからなっている。
ループ６０にはリング形態の抜け防止パーツ６１が通され、取り付けコード通し孔５８を抜けた取り付けコード５６の先端にはストッパー６７が設けられている。
取り付けコード５６は、携帯電話、デジタルカメラなどのコード通孔付き品に設けられた取り付けコード通し取付け孔７に、先端を折り合わせるようにして通された部位でループ６０を形成する一対で通すことができる太さ（二本同時に通すことが出来る太さ）であるとともに、前記取り付けコード通し取付け孔７が折れ曲がっていてその内壁に当り擦れても、崩れることなく通される適宜なしなやかさと硬さを有するものである。
取り付けコードを長く引き出し、取り付けコード通部５９を一方の手で摘み、ループ６０を形成している取り付けコード５６を引っ張って該ループ６０を大きいループにし、先端を折り畳んで細くしてコード通孔付き品Ｋの取り付けコード通し取り付け孔７に通し、通した側をループに広げて筐体２を潜らせ、取り付けコード通部５９と筐体２の間の取り付けコード５６を引いってループ６０を小さくして締めると、取り付けコード通部５９とコード通孔付き品Ｋの取り付けコード通し取付け孔７形成部位とが当接した状態での吊り状態を実現するものであるので、取り付けコード５６の略先端にコード通孔付き品Ｋを取り付けた状態が実現され、取り付けコード５６を全部巻き取る形態においては、取り付けコード５６を最大に巻き取った状態では筐体２とコード通孔付き品Ｋは距離の殆ど生じない（取り付けコード通部の分だけわずかに距離が生じる程度）形態を実現するものである。
【００２４】
＜第６の実施の形態＞
図９に示す本出願人が発明したところの第６の実施の形態において前記第５の実施の形態と主に異なる点は、ループ６０を形成する異なる形態を示したものである。
図（ａ）は、取り付けコード通部をメガネリング形態の取り付けコード通部６３とし、取り付けコード通し孔６４、６５と通した取り付けコード５６の先端に抜け防止となるストッパー６６を設け、ループ６０を形成した点にある。
図（ｂ）は、取り付けコード通部を二つの金属製円筒部材を一体化した形態の取り付けコード通部６８とし、取り付けコード通し孔６９、７０と通した取り付けコード５６の取り付けコード通し孔７０側をカシメ圧着したストッパー状態とし、ループ６０を形成した点にある。
図（ｃ）は、取り付けコード通部を取り付けコード５６を通すリング形態の取り付けコード通し孔７２、この取り付けコード通し孔７２と一体的に設けられた取り付けコード５６の先端を噛み挟持するストッパー部７３とからなる取り付けコード通部７４とし、取り付けコード５６を取り付けコード通し孔７２を通しその先端をストッパー部７３で噛みロック状態として、ループ６０を形成した点にある。
図（ｄ）は、取り付けコード５６の先端を曲げて形成してなる小輪形態の取り付けコード通部７５を形成し、この取り付けコード通部７４に取り付けコード５６が通されることによりループ６０を形成してなる点にある。いわゆる、投げ縄形態である。
【００２５】
＜第７の実施の形態＞
図１０、図１１、図１２に示す本発明を実施するための最良の形態である第７の実施の形態において８１は取り付けコード付き付属品であって、この取り付けコード付き付属品８１は、携帯電話、携帯カメラ、音楽プレイヤー、携帯無線機、携帯警報機などのコード通孔付き品Ｋに設けられた取り付けコード通し取付け孔７、この取り付けコード通し取付け孔７に通して該コード通孔付き品Ｋにハンドストラップ、ネックストラップ、飾り、財布、アクセント品、キャラクター品などの付属品１００（図ではボール形態のものであるが、人形でも玩具でもなんでもよい）を取り付けるための該付属品１００に非巻取り形態で取り付けられ、その長さが固定された長さである（ゴム紐を含む）一本形態の取り付けコード１０１を備えてなる取り付けコード付き付属品であって、
付属品１００と、この付属品１００に取り付けられた、前記取り付けコード通し取付け孔７が折れ曲がっていてその内壁に当り擦れても、崩れることなく通される適宜なしなやかさと硬さを有する固定された長さである（ゴム紐を含む）１本の取り付けコード１０１と、
この取り付けコード１０１の端側に設けられた前記取り付けコード通し取り付け孔７を通らない大きさのストッパー８０とからなり、
前記取り付けコード１０１を適宜な部位で折合わせ一対にして前記取り付けコード通し取り付け孔７に通し、通り抜けた部分を広げてストッパー潜らせループ８２を形成し、このストッパー潜らせループ８２に前記ストッパー８０を潜らせ、該取り付けコード１０１を引いて該ストッパー潜らせループ８２を縮め締めて、縮め締めた該ストッパー潜らせループ８２から該ストッパー８０が抜けないようにして、よって、コード通孔付き品Ｋに該取り付けコード１０１を直接的に取り付けるようにしてなるものである。
付属品に近接した形態であるいは付属品に一体化した形態で脱着パーツを設け、コード通孔付き品に取り付けコードを残して付属品を取り外し（脱着自在）ができるようにするのもよい。
【００２６】
図１２は、取り付けコード付き付属品８１とは異なる形態の取り付けコード付き付属品を例を示したものである。
図１２（ａ）の取り付けコード付き付属品は、ハンドベルトからなる付属品１００ａに固定された長さである取り付けコード１０１を設け、該取り付けコード１０１の先端に環部材８３ａを有するストッパー８０ａを設けたものである。
図１２（ｂ）の取り付けコード付き付属品は、四角体からなる付属品１００ｂに取り付けコード１０１を設け、該取り付けコード１０１の先端に、開閉環からなり環部を患部材８３ｂとするストッパー８０ｂを設けたものである。
図１２（ｃ）の取り付けコード付き付属品は、四角板材からなる付属品１００ｃに取り付けコード１０１を設け、該取り付けコード１０１の先端に、左右に患部材８３ｃ、８３ｃを有する棒状のストッパー８０ｃを設けたものである。
【００２７】
＜第８の実施の形態＞
図１３に示す本発明を実施するための最良の形態である第８の実施の形態において前記第７の実施の形態と主に異なる点は、ストッパーを取り付けコード１０１の先端に取り付けコード通し取り付け孔７を通らない大きさの開閉部付き環部材からなる係止ループ着脱係止部８６としてなる取り付けコード付き付属品８７を形成した点にある。
係止ループ着脱係止部８６は開閉口８８を開閉する開閉部材８５が設けられ、開閉部材８５を開いてストッパー潜らせループ８２を入れ閉じて外れないようにする、いわゆる取り付けコードを外れないように係止してコード通孔付き品Ｋに取り付けるとともに、開閉部材８５を開いて簡単で素早くストッパー潜らせループ８２を外しコード通孔付き品Ｋから取り外すことができる、取り付けコード５６を着脱自在とする係止ループ着脱係止部としての機能するようになっている。
ストッパーが係止部材を兼ねている、係止部がストッパーを兼ねているものである。
係止ループ着脱係止部８６を引っ張るとストッパー潜らせループ８２は引き出されループを容易に素早く広げて開閉部材８５を操作ぬくことにより、簡単に取り外すことができる。
開閉部付き環部材には通称、ナス環、丸環と呼ばれているも、弾性力により端部と端部が付勢重なって開閉部を形成してなるものなど多様な形態がある。
また、開閉部材８５を有さない開閉口８８が常に開放された形態、開閉部材８５を有さないリング隙間を空けてが重なった形態で該隙間からコードを出し入れできる形態などもよい。
このように、ストッパー潜らせループ８２に係止ループ着脱係止部８６（ストッパー）の一部を潜らせる形態も本願発明の技術的範疇に含まれるものである。
【００２８】
＜第９の実施の形態＞
図１４に示す本発明を実施するための最良の形態である第９の実施の形態において前記第７の実施の形態と主に異なる点は、取り付けコード１０１にストッパー潜らせループ８２を着脱自在に係止する係止ループ着脱係止部８６と同一部材からなる係止ループ着脱係止部９０を移動自在に設けてなる取り付けコード付き付属品９１を形成した点にある。
ストッパー８０をストッパー潜らせループ８２に潜らせず、係止ループ着脱係止部９０にストッパー潜らせループ８２を係止する。このような構成としても、前記実施の形態８のものと同様な効果を奏する。
係止ループ着脱係止部９０でもよいし他の物（丸球、角球、平板、棒部材など）に変えてよいが、取付けコード１０１に少し強めないし強めに摩擦移動するようにコード通し取付け孔７を通らない形態の抑え部材を設けるのがよい。
抑え部材を付属品１００側に移動させておいて取付けコード１０１をストッパー潜らせループ８２に通し締めてコード通孔付き品Ｋに取り付け完了したら、付属品１００側の抑え部材をコード通孔付き品Ｋ側に移動させ該コード通孔付き品Ｋに押付けた状態とする。これにより、取付けコード１０１が抜け動くような動作を起こさせないようにできるので、不用意にストッパー潜らせループ８２が広がりストッパー８０がそれから外れるという現象が生じないようにできる。
ストッパー８０をストッパー潜らせループ８２に潜らせず、係止ループ着脱係止部９０にストッパー潜らせループ８２を係止する使用形態を実現しているが、「前記取り付けコードを適宜な部位で折合わせ一対にして前記取り付けコード通し取り付け孔に通し、通り抜けた部分を広げてストッパー潜らせループを形成し、このストッパー潜らせループに前記ストッパーを潜らせ、該取り付けコードを引いて該ストッパー潜らせループを縮め締めて、縮め締めた該ストッパー潜らせループから該ストッパーが抜けないようにして、よって、コード通孔付き品に該取り付けコードを取り付けることが可能としてなる」構成であるので、このような形態も本願発明の技術的範疇に含まれるものである。
【産業上の利用可能性】
【００２９】
本発明は携行グッズを製造する産業で利用される。
【符号の説明】
【００３０】
１：取り付けコード付勢巻取り装置、
２：筐体、
３：駆動バネ、
４：巻取り体、
５：ループ形成可能部位、
６：取り付けコード、
７：取り付けコード通し取付け孔、
８：ストパー玉、
９：結束部、
１０：筐体形成部材、
１１：貫通筒部、
１４：ロックＯＮ・ＯＦＦボタン、
１５：ロック板、
１６：ロック体、
１７：圧縮コイルバネ、
１８：裏板、
１９：取り付けコード付勢巻取り装置、
２０：コード通孔付き品の携行補助具、
２１：ケース本体、
２２：底開口部、
２３：底塞ぎ蓋、
２４：フック面ファスナ部材、
２５：ループ面ファスナ部材、
２６：上孔部、
２７：ケース、
２８：首掛けループ、
２９：取り付けコードロック部材、
３０：胴巻き部材通し部、
３１：ループ面ファスナ部材、
３２：上孔部、
３５：首掛けループ取付部、
３６：引き出し口、
３７：引き出し口、
３８：取り付けコード受け部、
３９：取り付けコード付勢巻取り装置、
４０：凹み部、
４２：結束部、
４５：ロック機構部、
４６：ロック機構を設ける部位、
４７：開口部、
４８：ロックＯＮ・ＯＦＦボタン、
４９：押し出し付勢手段、
５０：取り付けコード通部、
５１：取り付けコード付勢巻取り装置、
５２：ロックＯＮ・ＯＦＦボタン案内部、
５３：可動側取り付けコード通し部、
５５：取り付けコード付勢巻取り装置、
５６：取り付けコード、
５７：取り付けコード通部本体、
５８：取り付けコード通し孔、
５９：取り付けコード通部、
６０：ループ、
６１：ループ抜け防止パーツ、
６３：取り付けコード通部、
６４：取り付けコード通し孔、
６５：取り付けコード通し孔、
６６：ストッパー、
６７：ストッパー、
６８：取り付けコード通部、
６９：取り付けコード通し孔、
７０：取り付けコード通し孔、
７２：取り付けコード通し孔、
７３：ストッパー部、
７４：取り付けコード通部、
７５：取り付けコード通部、
８０、８０ａ、８０ｂ、８０ｃ：ストッパー、
８１：取り付けコード付き付属品、
８２：ストッパー潜らせループ、
８３、８３ａ、８３ｂ、８３ｃ：環部材、
８５：開閉部材、
８６：係止ループ着脱係止部、
８７：取り付けコード付き付属品、
８８：開閉口、
９０：係止ループ着脱係止部、
９１：取り付けコード付き付属品、
１００、１００ａ、１００ｂ、１００ｃ：付属品、
１０１：取り付けコード。
【図１】
2010207368.tif 000003
【図２】
2010207368.tif 000004
【図３】
2010207368.tif 000005
【図４】
2010207368.tif 000006
【図５】
2010207368.tif 000007
【図６】
2010207368.tif 000008
【図７】
2010207368.tif 000009
【図８】
2010207368.tif 000010
【図９】
2010207368.tif 000011
【図１０】
2010207368.tif 000012
【図１１】
2010207368.tif 000013
【図１２】
2010207368.tif 000014
【図１３】
2010207368.tif 000015
【図１４】
2010207368.tif 000016
【手続補正書】
【提出日】平成21年10月25日(2009.10.25)
【手続補正１】
【補正対象書類名】明細書
【補正対象項目名】全文
【補正方法】変更
【補正の内容】
【発明の詳細な説明】
【技術分野】
【０００１】
本発明は、携帯カメラ、音楽プレイヤー、携帯無線機、携帯警報機、肩掛けバック、手提げカバン、置物、展示品などのコード通孔付き品に取付けて使用する、あるいはコード通孔付き品を取付けて使用する取付けコード付き付属品に関する。
【背景技術】
【０００２】
携帯電話、デジタルカメラ、音楽プレイヤーなどのコード通孔付き品には開口２ｍｍ〜４ｍｍ程度の取り付けコード通し取付け孔が設けられている。
この取り付けコード通し取付け孔には、付属品に取り付けられた松葉、ヘビロなどと呼ばれるループコードを通して、通された側を付属品潜らせループとして、この付属品のループに該付属品を潜らせてループコードが付属品潜らせループを潜った状態とすることによって、コード通孔付き品に付属品を取り付けるものである。（例えば特許文献１）
【０００３】
上述した従来技術は以下に述べるような欠点を有するものであった。
紐（７）（松葉、ヘビロ）は取り付けコード通し取付け孔に通された状態で、チューブ（１）（付属品）を潜り通すことができるループを形成する長さとしたければならないものである。
すなわち、付属品の大きさや長さは、紐（７）のループ径に規制されてしまうという欠点を有するものである。
また、取り外す際には締められコード通孔付き品に食いつき張り付いた状態の細紐である松葉を指で摘んでループを広げなければならず、なかなか指で摘み難いという欠点を有するものであった。
【先行技術文献】
【特許文献】
【０００４】
【特許文献１】特開2006-247083号公報
【非特許文献】
【０００５】
【非特許文献１】特になし
【発明の概要】
【発明が解決しようとする課題】
【０００６】
本発明は以上のような従来技術の欠点に鑑み、携帯電話、デジタルカメラなどのコード通孔付き品に設けられた、取り付けコード通し取付け孔に差し込み通し結束取り付ける取り付けコード付き付属品であって、取り付けコードによって付属品の大きさや長さが規制されることがない取り付けコード付き付属品を提供するにある。
【０００７】
本発明の前記ならびにそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
【課題を解決するための手段】
【０００８】
上記目的を達成するために、本発明は次のような構成となっている。
＜請求項１記載の発明＞
携帯電話、携帯カメラ、音楽プレイヤー、携帯無線機、携帯警報機、肩掛けバック、手提げカバン、置物、展示品などのコード通孔付き品に設けられたコード通し孔、このコード通し孔に通して該コード通孔付き品にハンドストラップ、ネックストラップ、飾り、財布、アクセント品、キャラクター品、値札、ネームプレートなどの付属品を取付けるための該付属品に取付けられた非巻取り形態である固定された長さの取付けコードを備えてなる取付けコード付き付属品であって、
付属品と、
この付属品に一方の側を直接的にあるいはリング、連結パーツ、脱着パーツなどの他の部材を介して取り付けられた、前記取り付けコード通し取付け孔が折れ曲がっていてその内壁に当り擦れても、崩れることなく通される適宜なしなやかさと硬さを有する非巻取り形態である固定された長の１本の取り付けコードと、
この取り付けコードの他方の側に設けられた前記取り付けコード通し取り付け孔を通らない大きさのストッパーとからなり、
前記取り付けコードを適宜な部位で折合わせ一対にして前記取り付けコード通し取り付け孔に通し、通り抜けた部分を広げてストッパー潜らせループを形成し、このストッパー潜らせループに前記ストッパーを潜らせ、該取り付けコードを引いて該ストッパー潜らせループを縮め締めて、縮め締めた該ストッパー潜らせループから該ストッパーが抜けないようにして、よって、コード通孔付き品に該取り付けコードを取り付けることが可能としてなることを特徴とする取り付けコード付き付属品である。
「非巻取り形態である固定された長の１本の取り付けコード」とは、取り付けコードを巻き取る巻取り装置（リール）による長さを延ばす形態（ゴム紐の伸縮は含まない）のものは含まない、除くという意味である。
但し、ゴム紐は縮状態が固定された長さであるので「固定された長さである１本の取り付けコード」に含むものである。
本出願人は先に特願２００８−２１９１１６（提出日平成２０年８月２９日）を出願済みであり、平成２１年１月１４日に特許査定の通知を受けている。
特願２００８−２１９１１６の発明は、付勢巻取り装置の巻取りコードが適宜なしなやかさと硬さを有する１本の取付けコードであるとともに、その取付けコードの先の方にコード通孔付き品のコード通し取付け孔を通らない大きさのストッパーを設けてなる発明である。
この構成によると、巻取りコードが全部巻き取られる構成にあっては、全部書き取り状態では付勢巻取り装置とコード通孔付き品は極めて近接状態ないし接触状態という、離れていない状態にされるとともに、コードの引き出し距離の可能な限り付勢巻取り装置とコード通孔付き品との距離を引き離すことができるものである。
これに対して、本発明の構成にあっては、取付けコードにより付属品とコード通孔付き品の距離は固定されているものである。
本願発明と特願２００８−２１９１１６の発明とでは以上の点が相違しているものである。
【発明の効果】
【０００９】
以上の説明から明らかなように、本発明にあっては次に列挙する効果が得られる。
＜請求項１記載の発明の効果＞
携帯電話、携帯カメラ、音楽プレイヤー、携帯無線機、携帯警報機、肩掛けバック、手提げカバン、置物、展示品などのコード通孔付き品に設けられたコード通し孔、このコード通し孔に通して該コード通孔付き品にハンドストラップ、ネックストラップ、飾り、財布、アクセント品、キャラクター品、値札、ネームプレートなどの付属品を取付けるための該付属品に取付けられた非巻取り形態である固定された長さの取付けコードを備えてなる取付けコード付き付属品であって、付属品と、この付属品に一方の側を直接的にあるいはリング、連結パーツ、脱着パーツなどの他の部材を介して取り付けられた、前記取り付けコード通し取付け孔が折れ曲がっていてその内壁に当り擦れても、崩れることなく通される適宜なしなやかさと硬さを有する非巻取り形態である固定された長の１本の取り付けコードと、この取り付けコードの他方の側に設けられた前記取り付けコード通し取り付け孔を通らない大きさのストッパーとからなり、前記取り付けコードを適宜な部位で折合わせ一対にして前記取り付けコード通し取り付け孔に通し、通り抜けた部分を広げてストッパー潜らせループを形成し、このストッパー潜らせループに前記ストッパーを潜らせ、該取り付けコードを引いて該ストッパー潜らせループを縮め締めて、縮め締めた該ストッパー潜らせループから該ストッパーが抜けないようにして、よって、コード通孔付き品に該取り付けコードを取り付けることが可能としてなることを特徴とする取り付けコード付き付属品であるので、
一本の取り付けコードを適宜な部位で折合わせ一対にして取り付けコード通し取り付け孔に通し、通り抜けた部分を広げてストッパー潜らせループを形成し、このストッパー潜らせループに前記ストッパーを潜らせ、該取り付けコードを引いて該ストッパー潜らせループを縮め締めて、縮め締めた該ストッパー潜らせループから該ストッパーが抜けないようにして、よって、コード通孔付き品に該取り付けコードを取り付けることが可能としてなるものであるので、コード通孔付き品への取り付け操作は取り付けコードのみで行う形態を実現しているので、付属品にはなんら影響を与えない、すなわち、付属品を大きさや形態を好みのものにできるという効果を奏する。
また、容易に摘めるストッパーを、摘み振りながら引っ張ることによりループを引き出し広げることが簡単にできるという効果を奏する。よって摘みやすいストッパーの摘み振り引き操作によってループを引き出し広げて、該ループにストッパーを抜き潜らせるだけの簡単な操作で、コード通孔付き品から取り外すことができる取り付けコード付き付属品を実現するものである。
【図面の簡単な説明】
【００１０】
【図１】本出願人が発明したところの第１の実施の形態の正面図およびコード通孔付き品への取付け手順図。
【図２】本出願人が発明したところの第１の実施の形態のロック状態でのコード通孔付き品の停止位置例図。
【図３】本出願人が発明したところの第１の実施の形態のロック状態の断面図およびロック解除状態の断面図。
【図４】本出願人が発明したところの第２の実施の形態のケースにコード通孔付き品を収納した状態の正面図およびコード通孔付き品をケースから出し下降させた状態の側面図。
【図５】本出願人が発明したところの第３の実施の形態の正面図およびコード通孔付き品を取り付け下降させた状態例の正面図。
【図６】本出願人が発明したところの第４の実施の形態の正面図およびコード通孔付き品を取り付け下降させた状態例の正面図。
【図７】本出願人が発明したところの第４の実施の形態のロック機構部の断面図。
【図８】本出願人が発明したところの第５の実施の形態の小さいループ状態の正面図、大きいループ状態の正面図、コード通孔付き品を取り付けた状態で該コード通孔付き品を筐体に接近させた状態の正面図。
【図９】本出願人が発明したところの第６の実施の形態の取り付けコード通部の他の形態を示す斜視図。
【図１０】本発明の最良の実施の形態である第７の実施の形態の正面図、ループにストッパーを潜らせた状態図、取り付け完了図。
【図１１】本発明の最良の実施の形態である第７の実施の形態の取り付け手順図。
【図１２】本発明の最良の実施の形態である第７の実施の形態の複数の異なる例を示す図。
【図１３】本発明の最良の第８の実施の形態の正面図、ループを係止部に係止せた状態図、取り付け完了図。
【図１４】本発明の最良の第９の実施の形態の正面図、ループを係止部に係止せた状態図、取り付け完了図。
【発明を実施するための最良の形態】
【００１１】
以下、図面に示す本出願人が発明したところの形態を詳細に説明する。但し、それらのみに本発明を限定する趣旨のものではない。
【００１２】
＜第１の実施の形態＞
図１ないし図５に示す本出願人が発明したところの第１の実施の形態において、１は取り付けコード付勢巻取り装置であって、この取り付けコード付勢巻取り装置１は、
筐体２、この筐体２内に回転自在に設けられ且つ駆動バネ３により巻取り方向に付勢巻取り回転をする巻取り体４、この巻取り体４にループの形成が可能なループ形成可能部位５とする一対形態で付勢巻き取られるとともに、該筐体２の外で拡径する該ループ形成可能部位５を形成するように設けられてなる取り付けコード６とからなる取り付けコード付勢巻取り装置において、
前記取り付けコード６の全体あるいは少なくとも先端側の適宜な長さが（本実施例では全体）、携帯電話、デジタルカメラなどのコード通孔付き品Ｋに設けられた取り付けコード通し取付け孔７に先端を折り合わせるようにしてループ状態で通すことができる太さであるとともに、前記取り付けコード通し取付け孔７が折れ曲がっていてその内壁に当り擦れても、崩れることなく通される適宜なしなやかさと硬さを有するものであり、かつ、該取り付けコード６先端が筐体２に当り引き込み動作が止められた最終巻取り状態となっても前記巻取り体４を巻取り回転させようとする巻取り回転付勢力を有してなる（巻取り回転付勢力が残っている状態）ことを特徴とするものである。
取り付けコード６には移動自在に、取り付けコード６先端が一つ引き出し口（図示せず）から筐体内に引き込まれるのを阻止するストパー玉８が取り付けられている。引き出し口が二つの場合は、取り付けコードが引き出し口間にある隔てる壁によってそれ以上の引き込まれるのを阻止するので、ストパー玉８を設けなくてもよい。
取り付けコードの太さが直径０．９ｍｍ以下とするのがよい。一般的な松葉紐の太さは０．７ｍｍ〜０．８ｍｍ程度である。
【００１３】
図３に示すように筐体２の内部構造およびロック機構は次のような構成となっている。
裏側が全面開口された筐体形成部材１０と、
この筐体形成部材１０の表板の中心に設けられた貫通筒部１１と、
この貫通筒部１１に内端を固定して設けられた発条である駆動バネ３と、
この駆動バネ３を内側にしてその外端を固定させて該駆動バネ３の巻取り不勢力により付勢巻取り回転する巻取り体４と、
この巻取り体４に重ね状態で巻取られた取り付けコード６と、
筐体形成部材１０の側面に設けられた取り付けコード６が引き出されている引き出し口（図示せず）と、
貫通筒部１１に筐体２を摘んだ指で押し込み可動可能に入れられた中空形態のロックＯＮ・ＯＦＦボタン１４、このロックＯＮ・ＯＦＦボタン１４の背部に貫通筒部１１と一体的に設けられた広鍔形態の巻取り体４に当接してその付勢回転を止めるロック板１５とからなるロック体１６と、
ロックＯＮ・ＯＦＦボタン１４の内部に設けられた押し出し付勢手段である圧縮コイルバネ１７と、
筐体形成部材１０の裏側開口をネジによる締め付け固定、接着、融着あるいは溶着などにより塞ぐ裏板１８と、とからなっている。
筐体２を指で摘み、その指でロックＯＮ・ＯＦＦボタン１４を押し込むと圧縮コイルバネ１７の付勢力に抗して巻取り体４に付勢当接していたロック板１５が移動して巻取り体４から離れロック状態が解除される。ロックＯＮ・ＯＦＦボタン１４を押し込んだ状態のまま移動操作（ループロール６の引き出し引き込み操作）を自在に行うことができる。ロックＯＮ・ＯＦＦボタン１４を解放すると圧縮コイルバネ１７の押し出し付勢力によりロック板１５が巻取り体４に付勢当接して駆動バネ３による付勢巻取り回転を止めロックする。
すなわち、取り付けコード６を出入両方向に対してロックするための、巻取り体４をロックするロック機構を設け、このロック機構を構成する部位である指で押し込みロック解除を行うためのロックＯＮ・ＯＦＦボタン１４が筐体２の表側あるいは裏側に設けられ、主に親指を裏側に当て人差し指ないし中指を表側に当てた摘み状態で、そのいずれかの指で前記ロックＯＮ・ＯＦＦボタン１４を押し込み移動させることにより前記ロック状態を解除し、該ロックＯＮ・ＯＦＦボタン１４を解放すると該ロック状態となる。
よって、取り付けコード６の先端を折り合わせた状態にして取り付けコード通し取付け孔７に通し（図１の＜ｂ＞図）、筐体２が潜り通るループ状態に開いて（図１の＜ｃ＞図）、該筐体２を潜らせ通して（図１の＜ｄ＞図）引き締め結束（結束部９）状態（図２の＜ｅ＞図）にしてコード通孔付き品Ｋに取り付けコード６の最終巻取り状態では、取り付けたコード通孔付き品と取り付けコード付勢巻取り装置の筐体との距離を略接した状態あるいは近傍した状態（図２の＜ｇ＞図）にでき、かつ、コード通孔付き品を筐体から遠ざける（移動させる）ことのできる（図２の＜ｆ＞図）。
【００１４】
次に、異なる実施の形態について説明する。なお、これら異なる実施の形態の説明に当たって、前述してある実施の形態と同一構成部分には同一符号を付して重複する説明を省略する。
【００１５】
＜第２の実施の形態＞
図４に示す本出願人が発明したところの第２の実施の形態において、取り付けコード付勢巻取り装置１のロック機構部を有さない形態とした取り付けコード付勢巻取り装置１９を使用して、携帯電話あるいは携帯カメラなどのコード通孔付き品を首から提げて携行するための、コード通孔付き品の携行補助具２０を形成した点にある。
コード通孔付き品の携行補助具２０は、ケース本体２１、このケース本体２１の底開口部２２、この底開口部２２を開閉するケース本体２１の背面壁から垂れ下がるように設けられた片形態の底塞ぎ蓋２３、この底塞ぎ蓋２３の内面に設けられたフック面ファスナ部材２４、ケース本体２１の前面に設けられたフック面ファスナ２４と係着して底塞ぎ蓋２３の閉じ状態を保持するためのループ面ファスナ部材２５、ケース本体２１の天井部に形成された取り付けコードロック部材２９が抜けない大きさの上孔部３２、ケース本体２１の背面に設けられた該ケース本体２１との間に胴に巻くための紐、取り付けコードあるいはベルトなどの胴巻き部材を通し取り付けるための胴巻き部材通し部３０を形成するように縫い付けあるいは接着などにより取り付けられたループ面ファスナ部材３１とからなるケース２７と、
このケース２７の上部あるいは側面上方に端部を取り付けて、ケース２７を首から吊り下げるための首掛けループ２８と、
取り付けコード付勢巻取り装置１９と、
取り付けコード付勢巻取り装置１９から引き出された取り付けコード６の筐体２内への引き込みをロックする取り付けコードロック部材２９とからなっている。
【００１６】
コード通孔付き品Ｋの取り付けコード６の取付けは以下のように行う。
取り付けコードロック部材２９のロック状態を解除して該取り付けコードロック部材２９を長く引き出しロック状態として巻き戻しできないようにする。
上孔部３２の上側から取り付けコード６を挿入してケース２７の底開口部２２から外に引き出す。
取り付けコード６の先端を折り合わせてコード通孔付き品Ｋの取り付けコード通し取付け孔７に通し、底開口部２２から上孔部３２を通して取り付けコード６を外に出す。
上孔部３２から出された取り付けコード６の部位をケース２より大きいループに広げて、該ケース２および取り付けコードロック部材２９をそのループに潜らせ通す。
ケース２および取り付けコードロック部材２９を引いて、あるいはコード通孔付き品Ｋを引いて取り付けコード６のループを萎めて（絞って）取り付けコード通し取付け孔７部位で結束状態として、取り付けコード６の先端にコード通孔付き品Ｋを取り付けた状態とする。
【００１７】
取り付けコードロック部材２９は、一般的に使用されている取り付けコードを通し、付勢力の与えられた押し込みボタン３０を該付勢力に抗して押し込むとロックが解除されて、取り付けコードをあるいは取り付けコードロック部材を移動自在とでき、押し込みボタン３０を解放すると押し込みボタン３０が付勢力により押し出し動作をして通されている取り付けコードを挟みロックして、移動ができないロック状態とするものである。
取り付けコード付勢巻取り装置１９の付勢巻取り力は、コード通孔付き品Ｋの重量を吊り保持できない弱い巻取り付勢力であり、ロックする取り付けコードロック部材２９のロックを解除し底開口部２２を開いた状態、すなわち、コード通孔付き品Ｋの自重が取り付けコード６に全てかかる状態においては、コード通孔付き品Ｋはその自重により自然・自動的に速やかに下降するものである。
したがって、下降した状態で取り付けコードロック部材２９を解放して取り付けコード６をロック状態とすることにより、下降した状態にコード通孔付き品Ｋを保持して、取り付けコード６に邪魔されることなくコード通孔付き品を手に持って快適に操作することができる。
【００１８】
コード通孔付き品Ｋのケース２７への収納は、取り付けコードロック部材２９を一方の指で摘み押し込みボタン３０を押し込んでロックを解除した状態としコード通孔付き品Ｋの底に他方の手を沿えるようにして持ち上げ収納し、取り付けコードロック部材２９をロック状態にして底塞ぎ蓋２３を閉じ、取り付けコードロック部材２９のロックを解除してコード通孔付き品Ｋを底塞ぎ蓋２３に載り支持されるまで下降させる。
下降したコード通孔付き品Ｋの収納は、自動付勢巻取りされる取り付けコード６によってケース２７内にスムーズに案内されるので、収納操作が簡単で快適である。
ケース２７への収納中のコード通孔付き品Ｋは底塞ぎ蓋２３に載り支持されるので、取り付けコード６には大きな荷重がかからないので、取り付けコード６の磨耗が生じず長寿命化を実現する。
ケース２７背面の胴巻き部材通し部３０に紐などの胴巻き部材を通し、胴に巻き付けることにより、ケース２７が振れない状態に保持し、よって、ケース２７に収納されているコード通孔付き品Ｋも歩行動作や前かがみになっても振れない状態として携行性を良いものにできる。
また、ワイシャツなどの前立て部を有する着衣では、前立て部にフック面ファスナ部材を有するクリプを装着し、あるいは安全ピンを備えた面ファスナ部材を装着して、ループ面ファスナ部材３１を着衣側に保持させて、ケース２７が振れない状態に保持し、よって、ケース２７に収納されているコード通孔付き品Ｋも歩行動作や前かがみになっても振れない状態として携行性を良いものにできる。
【００１９】
＜第３の実施の形態＞
図５に示す本出願人が発明したところの第３の実施の形態において前記第１の実施の形態と主に異なる点は、ケース２の背部あるいは上部から立ち上がるように首掛けループ２８を潜らし通して下端を結束（結束部４２）して該ケース２を吊り状態とする首掛けループ取付部３５を設け、ケース２の下部に取り付けコード６の一方の側と他方の側を分けて引き出すための引き出し口３６、３７を設け、該引き出し口３６、３７の間にく字形態に曲がったような形態の取り付けコード受け部３８を突出設けてなる取り付けコード付勢巻取り装置３９を形成した点にある。
取り付けコード受け部３８と筐体２との間には凹み部４０が形成され、該凹み部４０を通る取り付けコード６の一方の取り付けコードと凹み部４０との間には隙間が形成されて、指ないし爪で取り付けコードを摘むことができるようになっている。
【００２０】
＜第４の実施の形態＞
図６、図７に示す本出願人が発明したところの第４の実施の形態において前記第３の実施の形態と主に異なる点は、筐体２の巻取り体４から外れた部位に、取り付けコード６を付勢挟持してロックするロック機構部４５を設けるためのロック機構を設ける部位４６を形成し、このロック機構を設ける部位４６の表面あるいは裏面に開口部４７を設け、この開口部４７から頭部が突出され、該開口部４７内に頭部が位置されあるいは該開口部４７より内側に頭部が位置されてなる、摘んだ指によって押し込み移動動作をするロックＯＮ・ＯＦＦボタン４８を設け、前記ロックＯＮ・ＯＦＦボタン４８を押し出し付勢する圧縮コイルバネや弾性ゴム製部材などの押し出し付勢手段４９を設け、前記ロックＯＮ・ＯＦＦボタン４８に前記取り付けコード６を通す取り付けコード通部５０を設け、前記ロックＯＮ・ＯＦＦボタン４８の解放状態では前記押し出し付勢手段４９の押し出し付勢力によって該ロックＯＮ・ＯＦＦボタン４８は押し出し付勢状態にあって前記取り付けコード６を挟みロック状態とし、親指を前記ロック機構を設ける部位４６の裏面に当て人差し指ないし中指を該ロック機構を設ける部位４６の表面に当て摘み状態で、そのいずれかの指で前記ロックＯＮ・ＯＦＦボタン４８を前記押し出し付勢手段４９の押し出し付勢力に抗して押し込み移動させることにより前記取り付けコード６の前記ロック状態が解除され、該ロックＯＮ・ＯＦＦボタン４８を解放すると該ロック状態となる取り付けコード付勢巻取り装置５１を形成した点にある。
【００２１】
ロック機構部４５は、可動可能に設けられた１通の通し孔形態である可動側取り付けコード通し部５３を有する有天井開口底部の円筒形態のロックＯＮ・ＯＦＦボタン４８と、ロックＯＮ・ＯＦＦボタン案内部５２の上部に下部が当てられ且つロックＯＮ・ＯＦＦボタン４８の内天井部位に上部が当てられて該ロックＯＮ・ＯＦＦボタン４８を付勢押し出し状態とする押し出し付勢手段４９とからなり、指で摘みロックＯＮ・ＯＦＦボタン４８を押し出し付勢手段４９の押し出し付勢力に抗して押し込み可動させると取り付けコード通部５０と可動側取り付けコード通し部５３が重なり状態となって一本の貫通した取り付けコード通し孔を形成するようになっている。
ロックＯＮ・ＯＦＦボタン４８の側面には嵌合突起（図示せず省略）が形成され、ロック機構を設ける部位４６の内壁面に形成された嵌合溝（図示せず省略）に嵌合して、ロックＯＮ・ＯＦＦボタン４８は可動するがロック機構を設ける部位４６からは所定の位置で止められ抜けないようなっている。
ロック機構を設ける部位４６の下部には取り付けコード通部５０を通った取り付けコード６を外に抜くための取り付けコード抜き部５４と、抜いた取り付けコード６がそれ以上引き込まれないように止める取り付けコード止め部５５が形成されている。
これにより、取り付けコード６のループ状態のまま筐体外に引き出し、かつ、巻き戻るのを止めることができる構成を実現している。
取り付けコード抜き部５４は取り付けコード６を抜き取ったあとは、チップなどを嵌め込み接着するなどして塞いでしまい、取り付けコード６が入ることができないようにする。
【００２２】
取り付けコード６を挟みロック状態とする構成であるので、どの好みの位置でもコード通孔付き品を正確止めることができ、かつ、最終巻取り状態においても取り付けコードを最大限巻取り状態とすることができる。
また、ロック状態においてコード通孔付き品の急なあるいは予期せぬ不要な引っ張りが生じても、取り付けコードはロック状態のまま引っ張り引き出され移動するので、ロック機構が破損する、あるいは人が引っ張られて転倒などをしてしまう危険が緩衝されるという安全性を実現する。
【００２３】
＜第５の実施の形態＞
図８に示す本出願人が発明したところの第５の実施の形態において、５５は取り付けコード付勢巻取り装置であって、この取り付けコード付勢巻取り装置５５は、筐体２と、この筐体２内に回転自在に設けられ且つ駆動バネ３（図３参照）により巻取り方向に付勢巻取り回転をする巻取り体４（図３参照）と、この巻取り体４に付勢巻き取られる１本の取り付けコード５６と、この取り付けコード５６の前記筐体２の外に引き出された部位に設けられた、取り付けコード通部本体５７、この取り付けコード通部本体５７に設けられた取り付けコード５６を移動自在に通す取り付けコード通し孔５８とからなる取り付けコード通部５９と、この取り付けコード通部５９の前記取り付けコード通し孔５８に前記取り付けコード５６を通し、その取り付けコードの先端側を該取り付けコード通部５９から取れないように取り付けることによって形成してなる、該取り付けコード通し孔５８を取り付けコード５６を移動させることにより大きくしたり小さくしたりできるループ６０とからなっている。
ループ６０にはリング形態の抜け防止パーツ６１が通され、取り付けコード通し孔５８を抜けた取り付けコード５６の先端にはストッパー６７が設けられている。
取り付けコード５６は、携帯電話、デジタルカメラなどのコード通孔付き品に設けられた取り付けコード通し取付け孔７に、先端を折り合わせるようにして通された部位でループ６０を形成する一対で通すことができる太さ（二本同時に通すことが出来る太さ）であるとともに、前記取り付けコード通し取付け孔７が折れ曲がっていてその内壁に当り擦れても、崩れることなく通される適宜なしなやかさと硬さを有するものである。
取り付けコードを長く引き出し、取り付けコード通部５９を一方の手で摘み、ループ６０を形成している取り付けコード５６を引っ張って該ループ６０を大きいループにし、先端を折り畳んで細くしてコード通孔付き品Ｋの取り付けコード通し取り付け孔７に通し、通した側をループに広げて筐体２を潜らせ、取り付けコード通部５９と筐体２の間の取り付けコード５６を引いってループ６０を小さくして締めると、取り付けコード通部５９とコード通孔付き品Ｋの取り付けコード通し取付け孔７形成部位とが当接した状態での吊り状態を実現するものであるので、取り付けコード５６の略先端にコード通孔付き品Ｋを取り付けた状態が実現され、取り付けコード５６を全部巻き取る形態においては、取り付けコード５６を最大に巻き取った状態では筐体２とコード通孔付き品Ｋは距離の殆ど生じない（取り付けコード通部の分だけわずかに距離が生じる程度）形態を実現するものである。
【００２４】
＜第６の実施の形態＞
図９に示す本出願人が発明したところの第６の実施の形態において前記第５の実施の形態と主に異なる点は、ループ６０を形成する異なる形態を示したものである。
図（ａ）は、取り付けコード通部をメガネリング形態の取り付けコード通部６３とし、取り付けコード通し孔６４、６５と通した取り付けコード５６の先端に抜け防止となるストッパー６６を設け、ループ６０を形成した点にある。
図（ｂ）は、取り付けコード通部を二つの金属製円筒部材を一体化した形態の取り付けコード通部６８とし、取り付けコード通し孔６９、７０と通した取り付けコード５６の取り付けコード通し孔７０側をカシメ圧着したストッパー状態とし、ループ６０を形成した点にある。
図（ｃ）は、取り付けコード通部を取り付けコード５６を通すリング形態の取り付けコード通し孔７２、この取り付けコード通し孔７２と一体的に設けられた取り付けコード５６の先端を噛み挟持するストッパー部７３とからなる取り付けコード通部７４とし、取り付けコード５６を取り付けコード通し孔７２を通しその先端をストッパー部７３で噛みロック状態として、ループ６０を形成した点にある。
図（ｄ）は、取り付けコード５６の先端を曲げて形成してなる小輪形態の取り付けコード通部７５を形成し、この取り付けコード通部７４に取り付けコード５６が通されることによりループ６０を形成してなる点にある。いわゆる、投げ縄形態である。
【００２５】
＜第７の実施の形態＞
図１０、図１１、図１２に示す本発明を実施するための最良の形態である第７の実施の形態において８１は取り付けコード付き付属品であって、この取り付けコード付き付属品８１は、携帯電話、携帯カメラ、音楽プレイヤー、携帯無線機、携帯警報機などのコード通孔付き品Ｋに設けられた取り付けコード通し取付け孔７、この取り付けコード通し取付け孔７に通して該コード通孔付き品Ｋにハンドストラップ、ネックストラップ、飾り、財布、アクセント品、キャラクター品などの付属品１００（図ではボール形態のものであるが、人形でも玩具でもなんでもよい）を取り付けるための該付属品１００に非巻取り形態で取り付けられ、その長さが固定された長さである（ゴム紐を含む）一本形態の取り付けコード１０１を備えてなる取り付けコード付き付属品であって、
付属品１００と、この付属品１００に取り付けられた、前記取り付けコード通し取付け孔７が折れ曲がっていてその内壁に当り擦れても、崩れることなく通される適宜なしなやかさと硬さを有する固定された長さである（ゴム紐を含む）１本の取り付けコード１０１と、
この取り付けコード１０１の端側に設けられた前記取り付けコード通し取り付け孔７を通らない大きさのストッパー８０とからなり、
前記取り付けコード１０１を適宜な部位で折合わせ一対にして前記取り付けコード通し取り付け孔７に通し、通り抜けた部分を広げてストッパー潜らせループ８２を形成し、このストッパー潜らせループ８２に前記ストッパー８０を潜らせ、該取り付けコード１０１を引いて該ストッパー潜らせループ８２を縮め締めて、縮め締めた該ストッパー潜らせループ８２から該ストッパー８０が抜けないようにして、よって、コード通孔付き品Ｋに該取り付けコード１０１を直接的に取り付けるようにしてなるものである。
付属品に近接した形態であるいは付属品に一体化した形態で脱着パーツを設け、コード通孔付き品に取り付けコードを残して付属品を取り外し（脱着自在）ができるようにするのもよい。
【００２６】
図１２は、取り付けコード付き付属品８１とは異なる形態の取り付けコード付き付属品を例を示したものである。
図１２（ａ）の取り付けコード付き付属品は、ハンドベルトからなる付属品１００ａに固定された長さである取り付けコード１０１を設け、該取り付けコード１０１の先端に環部材８３ａを有するストッパー８０ａを設けたものである。
図１２（ｂ）の取り付けコード付き付属品は、四角体からなる付属品１００ｂに取り付けコード１０１を設け、該取り付けコード１０１の先端に、開閉環からなり環部を患部材８３ｂとするストッパー８０ｂを設けたものである。
図１２（ｃ）の取り付けコード付き付属品は、四角板材からなる付属品１００ｃに取り付けコード１０１を設け、該取り付けコード１０１の先端に、左右に患部材８３ｃ、８３ｃを有する棒状のストッパー８０ｃを設けたものである。
【００２７】
＜第８の実施の形態＞
図１３に示す本発明を実施するための最良の形態である第８の実施の形態において前記第７の実施の形態と主に異なる点は、ストッパーを取り付けコード１０１の先端に取り付けコード通し取り付け孔７を通らない大きさの開閉部付き環部材からなる係止ループ着脱係止部８６としてなる取り付けコード付き付属品８７を形成した点にある。
係止ループ着脱係止部８６は開閉口８８を開閉する開閉部材８５が設けられ、開閉部材８５を開いてストッパー潜らせループ８２を入れ閉じて外れないようにする、いわゆる取り付けコードを外れないように係止してコード通孔付き品Ｋに取り付けるとともに、開閉部材８５を開いて簡単で素早くストッパー潜らせループ８２を外しコード通孔付き品Ｋから取り外すことができる、取り付けコード５６を着脱自在とする係止ループ着脱係止部としての機能するようになっている。
ストッパーが係止部材を兼ねている、係止部がストッパーを兼ねているものである。
係止ループ着脱係止部８６を引っ張るとストッパー潜らせループ８２は引き出されループを容易に素早く広げて開閉部材８５を操作ぬくことにより、簡単に取り外すことができる。
開閉部付き環部材には通称、ナス環、丸環と呼ばれているも、弾性力により端部と端部が付勢重なって開閉部を形成してなるものなど多様な形態がある。
また、開閉部材８５を有さない開閉口８８が常に開放された形態、開閉部材８５を有さないリング隙間を空けてが重なった形態で該隙間からコードを出し入れできる形態などもよい。
このように、ストッパー潜らせループ８２に係止ループ着脱係止部８６（ストッパー）の一部を潜らせる形態も本願発明の技術的範疇に含まれるものである。
【００２８】
＜第９の実施の形態＞
図１４に示す本発明を実施するための最良の形態である第９の実施の形態において前記第７の実施の形態と主に異なる点は、取り付けコード１０１にストッパー潜らせループ８２を着脱自在に係止する係止ループ着脱係止部８６と同一部材からなる係止ループ着脱係止部９０を移動自在に設けてなる取り付けコード付き付属品９１を形成した点にある。
ストッパー８０をストッパー潜らせループ８２に潜らせず、係止ループ着脱係止部９０にストッパー潜らせループ８２を係止する。このような構成としても、前記実施の形態８のものと同様な効果を奏する。
係止ループ着脱係止部９０でもよいし他の物（丸球、角球、平板、棒部材など）に変えてよいが、取付けコード１０１に少し強めないし強めに摩擦移動するようにコード通し取付け孔７を通らない形態の抑え部材を設けるのがよい。
抑え部材を付属品１００側に移動させておいて取付けコード１０１をストッパー潜らせループ８２に通し締めてコード通孔付き品Ｋに取り付け完了したら、付属品１００側の抑え部材をコード通孔付き品Ｋ側に移動させ該コード通孔付き品Ｋに押付けた状態とする。これにより、取付けコード１０１が抜け動くような動作を起こさせないようにできるので、不用意にストッパー潜らせループ８２が広がりストッパー８０がそれから外れるという現象が生じないようにできる。
ストッパー８０をストッパー潜らせループ８２に潜らせず、係止ループ着脱係止部９０にストッパー潜らせループ８２を係止する使用形態を実現しているが、「前記取り付けコードを適宜な部位で折合わせ一対にして前記取り付けコード通し取り付け孔に通し、通り抜けた部分を広げてストッパー潜らせループを形成し、このストッパー潜らせループに前記ストッパーを潜らせ、該取り付けコードを引いて該ストッパー潜らせループを縮め締めて、縮め締めた該ストッパー潜らせループから該ストッパーが抜けないようにして、よって、コード通孔付き品に該取り付けコードを取り付けることが可能としてなる」構成であるので、このような形態も本願発明の技術的範疇に含まれるものである。
【産業上の利用可能性】
【００２９】
本発明は携行グッズを製造する産業で利用される。
【符号の説明】
【００３０】
１：取り付けコード付勢巻取り装置、
２：筐体、
３：駆動バネ、
４：巻取り体、
５：ループ形成可能部位、
６：取り付けコード、
７：取り付けコード通し取付け孔、
８：ストパー玉、
９：結束部、
１０：筐体形成部材、
１１：貫通筒部、
１４：ロックＯＮ・ＯＦＦボタン、
１５：ロック板、
１６：ロック体、
１７：圧縮コイルバネ、
１８：裏板、
１９：取り付けコード付勢巻取り装置、
２０：コード通孔付き品の携行補助具、
２１：ケース本体、
２２：底開口部、
２３：底塞ぎ蓋、
２４：フック面ファスナ部材、
２５：ループ面ファスナ部材、
２６：上孔部、
２７：ケース、
２８：首掛けループ、
２９：取り付けコードロック部材、
３０：胴巻き部材通し部、
３１：ループ面ファスナ部材、
３２：上孔部、
３５：首掛けループ取付部、
３６：引き出し口、
３７：引き出し口、
３８：取り付けコード受け部、
３９：取り付けコード付勢巻取り装置、
４０：凹み部、
４２：結束部、
４５：ロック機構部、
４６：ロック機構を設ける部位、
４７：開口部、
４８：ロックＯＮ・ＯＦＦボタン、
４９：押し出し付勢手段、
５０：取り付けコード通部、
５１：取り付けコード付勢巻取り装置、
５２：ロックＯＮ・ＯＦＦボタン案内部、
５３：可動側取り付けコード通し部、
５５：取り付けコード付勢巻取り装置、
５６：取り付けコード、
５７：取り付けコード通部本体、
５８：取り付けコード通し孔、
５９：取り付けコード通部、
６０：ループ、
６１：ループ抜け防止パーツ、
６３：取り付けコード通部、
６４：取り付けコード通し孔、
６５：取り付けコード通し孔、
６６：ストッパー、
６７：ストッパー、
６８：取り付けコード通部、
６９：取り付けコード通し孔、
７０：取り付けコード通し孔、
７２：取り付けコード通し孔、
７３：ストッパー部、
７４：取り付けコード通部、
７５：取り付けコード通部、
８０、８０ａ、８０ｂ、８０ｃ：ストッパー、
８１：取り付けコード付き付属品、
８２：ストッパー潜らせループ、
８３、８３ａ、８３ｂ、８３ｃ：環部材、
８５：開閉部材、
８６：係止ループ着脱係止部、
８７：取り付けコード付き付属品、
８８：開閉口、
９０：係止ループ着脱係止部、
９１：取り付けコード付き付属品、
１００、１００ａ、１００ｂ、１００ｃ：付属品、
１０１：取り付けコード。
【手続補正２】
【補正対象書類名】特許請求の範囲
【補正対象項目名】全文
【補正方法】変更
【補正の内容】
【特許請求の範囲】
【請求項１】
携帯電話、携帯カメラ、音楽プレイヤー、携帯無線機、携帯警報機、肩掛けバック、手提げカバン、置物、展示品などのコード通孔付き品に設けられたコード通し孔、このコード通し孔に通して該コード通孔付き品にハンドストラップ、ネックストラップ、飾り、財布、アクセント品、キャラクター品、値札、ネームプレートなどの付属品を取付けるための該付属品に一方側を取付けられた非巻取り形態である固定された長さの取付けコードを備えてなる取付けコード付き付属品であって、
前記付属品と、
この付属品に前記一方の側を直接的にあるいはリング、連結パーツ、脱着パーツなどの他の部材を介して取り付けられた、前記取り付けコード通し取付け孔が折れ曲がっていてその内壁に当り擦れても、崩れることなく通される適宜なしなやかさと硬さを有する非巻取り形態である固定された長さの、適宜な部位で折合わせ一対にして前記取り付けコード通し取り付け孔に通し、通り抜けた部分を広げてストッパー潜らせループを形成する１本のみ非ループ形態の取り付けコードと、
この取り付けコードの他方の側に設けられた前記取り付けコード通し取り付け孔を通らない大きさで、前記ストッパー潜らせループに潜らせるためのストッパーとからなるとともに、
前記ストッパー潜らせループに前記ストッパーを潜らせた状態で、前記取り付けコードを引いて該ストッパー潜らせループを縮め締めて、縮め締めた該ストッパー潜らせループから該ストッパーが抜けないようにして、コード通孔付き品に該取り付けコードを取り付けることが可能としてなることを特徴とする取り付けコード付き付属品。